(57)【要約】  ワイヤレス無線アクセス技術(RAT)間の共存のための技法および共有スペクトルにおける関連の動作が開示される。RAT間で共有される通信媒体上の動作は、第1のRATに従って動作し、第2のRATに関連付けられたシグナリングに関して媒体を監視するように構成されたトランシーバによって管理される場合がある。媒体アナライザは、監視されたシグナリングに基づいて、第2のRATに関連付けられた時分割多重(TDM)通信パターンの1つまたは複数のTDMパラメータを決定するように構成される場合がある。送信コントローラは、決定された1つまたは複数のTDMパラメータに基づいて第1のRAT用の1つまたは複数の送信パラメータを設定するように構成される場合がある。トランシーバは、1つまたは複数の送信パラメータに従って媒体上で送信するようにさらに構成される場合がある。
2018515990.tif 000002
【特許請求の範囲】
【請求項１】
無線アクセス技術(RAT)間で共有される通信媒体上の動作を管理するための装置であって、
第1のRATに従って動作し、第2のRATに関連付けられたシグナリングに関して前記媒体を監視するように構成されたトランシーバと、
前記監視されたシグナリングに基づいて、前記第2のRATに関連付けられた時分割多重(TDM)通信パターンの1つまたは複数のTDMパラメータを決定するように構成された媒体アナライザであって、前記TDM通信パターンが、前記第2のRATに従って前記媒体を介した通信のアクティブ化期間および非アクティブ化期間を定義する、媒体アナライザと、
前記決定された1つまたは複数のTDMパラメータに基づいて前記第1のRAT用の1つまたは複数の送信パラメータを設定するように構成された送信コントローラと
を備え、
前記トランシーバが、前記1つまたは複数の送信パラメータに従って前記媒体上で送信するようにさらに構成される、
装置。
【請求項２】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項1に記載の装置。
【請求項３】
前記1つまたは複数のTDMパラメータが、前記TDM通信パターンの所与のアクティブ化期間内のパンクチャリングパターンに関するパラメータを含む、請求項1に記載の装置。
【請求項４】
前記トランシーバが、非第1のRATシグナリングエネルギーに関して前記媒体を監視することと、前記シグナリングを前記第2のRATに関連付けるために、前記監視された非第1のRATシグナリングエネルギーを、前記第2のRATに対応する既知の波形シグネチャと比較することとを行うように構成される、請求項1に記載の装置。
【請求項５】
前記トランシーバが、非第1のRATシグナリングエネルギーに関して前記媒体を監視することと、前記シグナリングを前記第2のRATに関連付けるために、前記監視された非第1のRATシグナリングエネルギーを、前記第1のRAT用に定義されたチャネル予約メッセージに相関させることとを行うように構成される、請求項1に記載の装置。
【請求項６】
前記媒体アナライザが、前記チャネル予約メッセージの持続時間フィールドに基づいてデューティサイクルTDMパラメータを決定するように構成される、請求項5に記載の装置。
【請求項７】
前記1つまたは複数の送信パラメータが、データレートパラメータ、変調/コーディング方式(MCS)パラメータ、ユーザスケジューリングパラメータ、またはそれらの組合せを含む、請求項1に記載の装置。
【請求項８】
前記1つまたは複数の送信パラメータが、前記第1のRAT用の1つまたは複数の帯域幅管理パラメータを含む、請求項1に記載の装置。
【請求項９】
前記送信コントローラが、前記TDM通信パターンのアクティブ化期間中に第1の帯域幅を使用し、前記TDM通信パターンの非アクティブ化期間中に第2の帯域幅を使用するように前記トランシーバに指示するために前記1つまたは複数の帯域幅管理パラメータを設定するように構成され、前記第1の帯域幅は前記第2の帯域幅よりも小さい、請求項8に記載の装置。
【請求項１０】
前記送信コントローラが、前記TDM通信パターンのアクティブ化期間中に前記媒体の制限部分を介して、しきい値を超える優先度を有するパケットを送信するように前記トランシーバに指示するために前記1つまたは複数の帯域幅管理パラメータを設定するように構成される、請求項8に記載の装置。
【請求項１１】
前記送信コントローラが、(i)前記TDM通信パターンの前記アクティブ化期間のための送信パラメータの第1のセットと、(ii)前記TDM通信パターンの前記非アクティブ化期間のための送信パラメータの第2のセットとを維持するように構成される、請求項1に記載の装置。
【請求項１２】
前記媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項1に記載の装置。
【請求項１３】
無線アクセス技術(RAT)間で共有される通信媒体上の動作を管理するための方法であって、
第1のRATに従って動作するように構成されたトランシーバを介して、第2のRATに関連付けられたシグナリングに関して前記媒体を監視するステップと、
前記監視されたシグナリングに基づいて、前記第2のRATに関連付けられた時分割多重(TDM)通信パターンの1つまたは複数のTDMパラメータを決定するステップであって、前記TDM通信パターンが、前記第2のRATに従って前記媒体を介した通信のアクティブ化期間および非アクティブ化期間を定義する、ステップと、
前記決定された1つまたは複数のTDMパラメータに基づいて前記第1のRAT用の1つまたは複数の送信パラメータを設定するステップと、
前記1つまたは複数の送信パラメータに従って前記トランシーバを介して前記媒体上で送信するステップと
を備える、方法。
【請求項１４】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項13に記載の方法。
【請求項１５】
前記1つまたは複数のTDMパラメータが、前記TDM通信パターンの所与のアクティブ化期間内のパンクチャリングパターンに関するパラメータを含む、請求項13に記載の方法。
【請求項１６】
前記監視するステップが、
非第1のRATシグナリングエネルギーに関して前記媒体を監視することと、
前記シグナリングを前記第2のRATに関連付けるために、前記監視された非第1のRATシグナリングエネルギーを、前記第2のRATに対応する既知の波形シグネチャと比較することと
を備える、請求項13に記載の方法。
【請求項１７】
前記監視するステップが、
非第1のRATシグナリングエネルギーに関して前記媒体を監視することと、
前記シグナリングを前記第2のRATに関連付けるために、前記監視された非第1のRATシグナリングエネルギーを、前記第1のRAT用に定義されたチャネル予約メッセージに相関させることと
を備える、請求項13に記載の方法。
【請求項１８】
前記決定するステップが、前記チャネル予約メッセージの持続時間フィールドに基づいてデューティサイクルTDMパラメータを決定することを備える、請求項17に記載の方法。
【請求項１９】
前記1つまたは複数の送信パラメータが、データレートパラメータ、変調/コーディング方式(MCS)パラメータ、ユーザスケジューリングパラメータ、またはそれらの組合せを含む、請求項13に記載の方法。
【請求項２０】
前記1つまたは複数の送信パラメータが、前記第1のRAT用の1つまたは複数の帯域幅管理パラメータを含む、請求項13に記載の方法。
【請求項２１】
前記設定するステップが、前記TDM通信パターンのアクティブ化期間中に第1の帯域幅を使用し、前記TDM通信パターンの非アクティブ化期間中に第2の帯域幅を使用するように前記トランシーバに指示するために前記1つまたは複数の帯域幅管理パラメータを設定することを備え、前記第1の帯域幅は前記第2の帯域幅よりも小さい、請求項20に記載の方法。
【請求項２２】
前記設定するステップが、前記TDM通信パターンのアクティブ化期間中に前記媒体の制限部分を介して、しきい値を超える優先度を有するパケットを送信するように前記トランシーバに指示するために前記1つまたは複数の帯域幅管理パラメータを設定することを備える、請求項20に記載の方法。
【請求項２３】
前記設定するステップが、(i)前記TDM通信パターンの前記アクティブ化期間のための送信パラメータの第1のセットと、(ii)前記TDM通信パターンの前記非アクティブ化期間のための送信パラメータの第2のセットとを維持することを備える、請求項13に記載の方法。
【請求項２４】
前記媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項13に記載の方法。
【請求項２５】
無線アクセス技術(RAT)間で共有される通信媒体上の動作を管理するための装置であって、
第2のRATに関連付けられたシグナリングに関して、第1のRATに従って前記媒体を監視するための手段と、
前記監視されたシグナリングに基づいて、前記第2のRATに関連付けられた時分割多重(TDM)通信パターンの1つまたは複数のTDMパラメータを決定するための手段であって、前記TDM通信パターンが、前記第2のRATに従って前記媒体を介した通信のアクティブ化期間および非アクティブ化期間を定義する、手段と、
前記決定された1つまたは複数のTDMパラメータに基づいて前記第1のRAT用の1つまたは複数の送信パラメータを設定するための手段と、
前記1つまたは複数の送信パラメータに従って前記媒体上で送信するための手段と
を備える、装置。
【請求項２６】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項25に記載の装置。
【請求項２７】
前記1つまたは複数のTDMパラメータが、前記TDM通信パターンの所与のアクティブ化期間内のパンクチャリングパターンに関するパラメータを含む、請求項25に記載の装置。
【請求項２８】
前記監視するための手段が、
非第1のRATシグナリングエネルギーに関して前記媒体を監視するための手段と、
前記シグナリングを前記第2のRATに関連付けるために、前記監視された非第1のRATシグナリングエネルギーを、前記第2のRATに対応する既知の波形シグネチャと比較するための手段と
を備える、請求項25に記載の装置。
【請求項２９】
前記監視するための手段が、
非第1のRATシグナリングエネルギーに関して前記媒体を監視するための手段と、
前記シグナリングを前記第2のRATに関連付けるために、前記監視された非第1のRATシグナリングエネルギーを、前記第1のRAT用に定義されたチャネル予約メッセージに相関させるための手段と
を備える、請求項25に記載の装置。
【請求項３０】
前記決定するための手段が、前記チャネル予約メッセージの持続時間フィールドに基づいてデューティサイクルTDMパラメータを決定するための手段を備える、請求項29に記載の装置。
【請求項３１】
前記1つまたは複数の送信パラメータが、データレートパラメータ、変調/コーディング方式(MCS)パラメータ、ユーザスケジューリングパラメータ、またはそれらの組合せを含む、請求項25に記載の装置。
【請求項３２】
前記1つまたは複数の送信パラメータが、前記第1のRAT用の1つまたは複数の帯域幅管理パラメータを含む、請求項25に記載の装置。
【請求項３３】
前記設定するための手段が、前記TDM通信パターンのアクティブ化期間中に第1の帯域幅を使用し、前記TDM通信パターンの非アクティブ化期間中に第2の帯域幅を使用するように前記送信するための手段に指示するために前記1つまたは複数の帯域幅管理パラメータを設定するための手段を備え、前記第1の帯域幅は前記第2の帯域幅よりも小さい、請求項32に記載の装置。
【請求項３４】
前記設定するための手段が、前記TDM通信パターンのアクティブ化期間中に前記媒体の制限部分を介して、しきい値を超える優先度を有するパケットを送信するように前記送信するための手段に指示するために前記1つまたは複数の帯域幅管理パラメータを設定するための手段を備える、請求項32に記載の装置。
【請求項３５】
前記設定するための手段が、(i)前記TDM通信パターンの前記アクティブ化期間のための送信パラメータの第1のセットと、(ii)前記TDM通信パターンの前記非アクティブ化期間のための送信パラメータの第2のセットとを維持するための手段を備える、請求項25に記載の装置。
【請求項３６】
前記媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項25に記載の装置。
【請求項３７】
プロセッサによって実行されると、前記プロセッサに、無線アクセス技術(RAT)間で共有される通信媒体上の動作を管理するための動作を実行させるコードを備える非一時的コンピュータ可読記録媒体であって、
第2のRATに関連付けられたシグナリングに関して、第1のRATに従って前記通信媒体を監視するためのコードと、
前記監視されたシグナリングに基づいて、前記第2のRATに関連付けられた時分割多重(TDM)通信パターンの1つまたは複数のTDMパラメータを決定するためのコードであって、前記TDM通信パターンが、前記第2のRATに従って前記通信媒体を介した通信のアクティブ化期間および非アクティブ化期間を定義する、コードと、
前記決定された1つまたは複数のTDMパラメータに基づいて前記第1のRAT用の1つまたは複数の送信パラメータを設定するためのコードと、
前記1つまたは複数の送信パラメータに従って前記通信媒体上で送信するためのコードと
を備える、非一時的コンピュータ可読記録媒体。
【請求項３８】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項37に記載の非一時的コンピュータ可読記録媒体。
【請求項３９】
前記1つまたは複数のTDMパラメータが、前記TDM通信パターンの所与のアクティブ化期間内のパンクチャリングパターンに関するパラメータを含む、請求項37に記載の非一時的コンピュータ可読記録媒体。
【請求項４０】
前記監視するためのコードが、
非第1のRATシグナリングエネルギーに関して前記通信媒体を監視するためのコードと、
前記シグナリングを前記第2のRATに関連付けるために、前記監視された非第1のRATシグナリングエネルギーを、前記第2のRATに対応する既知の波形シグネチャと比較するためのコードと
を備える、請求項37に記載の非一時的コンピュータ可読記録媒体。
【請求項４１】
前記監視するためのコードが、
非第1のRATシグナリングエネルギーに関して前記通信媒体を監視するためのコードと、
前記シグナリングを前記第2のRATに関連付けるために、前記監視された非第1のRATシグナリングエネルギーを、前記第1のRAT用に定義されたチャネル予約メッセージに相関させるためのコードと
を備える、請求項37に記載の非一時的コンピュータ可読記録媒体。
【請求項４２】
前記決定するためのコードが、前記チャネル予約メッセージの持続時間フィールドに基づいてデューティサイクルTDMパラメータを決定するためのコードを備える、請求項41に記載の非一時的コンピュータ可読記録媒体。
【請求項４３】
前記1つまたは複数の送信パラメータが、データレートパラメータ、変調/コーディング方式(MCS)パラメータ、ユーザスケジューリングパラメータ、またはそれらの組合せを含む、請求項37に記載の非一時的コンピュータ可読記録媒体。
【請求項４４】
前記1つまたは複数の送信パラメータが、前記第1のRAT用の1つまたは複数の帯域幅管理パラメータを含む、請求項37に記載の非一時的コンピュータ可読記録媒体。
【請求項４５】
前記設定するためのコードが、前記TDM通信パターンのアクティブ化期間中に第1の帯域幅を使用し、前記TDM通信パターンの非アクティブ化期間中に第2の帯域幅を使用するように前記送信するためのコードに指示するために前記1つまたは複数の帯域幅管理パラメータを設定するためのコードを備え、前記第1の帯域幅は前記第2の帯域幅よりも小さい、請求項44に記載の非一時的コンピュータ可読記録媒体。
【請求項４６】
前記設定するためのコードが、前記TDM通信パターンのアクティブ化期間中に前記通信媒体の制限部分を介して、しきい値を超える優先度を有するパケットを送信するように前記送信するためのコードに指示するために前記1つまたは複数の帯域幅管理パラメータを設定するためのコードを備える、請求項44に記載の非一時的コンピュータ可読記録媒体。
【請求項４７】
前記設定するためのコードが、(i)前記TDM通信パターンの前記アクティブ化期間のための送信パラメータの第1のセットと、(ii)前記TDM通信パターンの前記非アクティブ化期間のための送信パラメータの第2のセットとを維持するためのコードを備える、請求項37に記載の非一時的コンピュータ可読記録媒体。
【請求項４８】
前記通信媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項37に記載の非一時的コンピュータ可読記録媒体。
【発明の詳細な説明】
【技術分野】
【０００１】
本開示の態様は、一般に、電気通信に関し、より詳細には、ワイヤレス無線アクセス技術(RAT)などの間の共存に関する。
【背景技術】
【０００２】
音声、データ、マルチメディアなどの様々なタイプの通信コンテンツを提供するために、ワイヤレス通信システムが広く展開されている。通常のワイヤレス通信システムは、利用可能なシステムリソース(たとえば、帯域幅、送信電力など)を共有することによって、複数のユーザとの通信をサポートすることが可能な多元接続システムである。そのような多元接続システムの例は、符号分割多元接続(CDMA)システム、時分割多元接続(TDMA)システム、周波数分割多元接続(FDMA)システム、直交周波数分割多元接続(OFDMA)システムなどを含む。これらのシステムは、しばしば、第3世代パートナーシッププロジェクト(3GPP)によって提供されるロングタームエボリューション(LTE:Long Term Evolution)、第3世代パートナーシッププロジェクト2(3GPP2)によって提供されるウルトラモバイルブロードバンド(UMB:Ultra Mobile Broadband)およびエボリューションデータオプティマイズド(EV-DO:Evolution Data Optimized)、米国電気電子技術者協会(IEEE:Institute of Electrical and Electronics Engineers)によって提供される802.11などの仕様に準拠して展開される。
【０００３】
セルラーネットワークにおいて、「マクロセル」アクセスポイントは、ある地理的エリアにわたって多数のユーザに接続およびカバレージを提供する。その地理的領域にわたって良好なカバレージを提供するために、マクロネットワーク展開が慎重に計画され、設計され、実現される。住宅およびオフィスビル用などの、屋内のカバレージまたは他の特定の地理的なカバレージを改善するために、最近では、通常は低電力のアクセスポイントである追加の「スモールセル」が、従来のマクロネットワークを補完するために展開され始めている。スモールセルアクセスポイントは、さらなる容量の増大、より豊かなユーザ体験などを提供する場合もある。
【０００４】
最近では、スモールセルLTE動作は、たとえば、ワイヤレスローカルエリアネットワーク(WLAN)技術によって使用されるUnlicensed National Information Infrastructure(U-NII)帯域などの、無認可周波数スペクトルへと拡張されてきた。スモールセルLTE動作のこの拡張は、LTEシステムのスペクトル効率を、したがって容量を向上させるように設計される。しかしながら、これは、通常は同じ無認可帯域を利用する他の無線アクセス技術(RAT)、特に、一般に「Wi-Fi」と呼ばれるIEEE 802.11x WLAN技術の動作を侵害する場合もある。
【発明の概要】
【課題を解決するための手段】
【０００５】
ワイヤレス無線アクセス技術(RAT)間の共存のための技法および共有スペクトルにおける関連の動作が開示される。
【０００６】
一例では、RAT間で共有される通信媒体上の動作を管理するための装置が開示される。本装置は、たとえば、トランシーバ、媒体分析器、および送信コントローラを含んでもよい。トランシーバは、第1のRATに従って動作し、第2のRATに関連付けられたシグナリングに関して媒体を監視するように構成され得る。媒体アナライザは、監視されたシグナリングに基づいて、第2のRATに関連付けられた時分割多重(TDM)通信パターンの1つまたは複数のTDMパラメータを決定するように構成される場合がある。TDM通信パターンは、第2のRATに従って媒体を介した通信のアクティブ化期間および非アクティブ化期間を定義する場合がある。送信コントローラは、決定された1つまたは複数のTDMパラメータに基づいて第1のRAT用の1つまたは複数の送信パラメータを設定するように構成される場合がある。トランシーバは、1つまたは複数の送信パラメータに従って媒体上で送信するようにさらに構成される場合がある。
【０００７】
別の例では、RAT間で共有される通信媒体上の動作を管理するための方法が開示される。本方法は、たとえば、第1のRATに従って動作するように構成されたトランシーバを介して、第2のRATに関連付けられたシグナリングに関して媒体を監視するステップと、監視されたシグナリングに基づいて、第2のRATに関連付けられたTDM通信パターンの1つまたは複数のTDMパラメータを決定するステップであって、TDM通信パターンが、第2のRATに従って媒体を介した通信のアクティブ化期間および非アクティブ化期間を定義する、ステップと、決定された1つまたは複数のTDMパラメータに基づいて第1のRAT用の1つまたは複数の送信パラメータを設定するステップと、1つまたは複数の送信パラメータに従ってトランシーバを介して媒体上で送信するステップとを含む場合がある。
【０００８】
別の例では、RAT間で共有される通信媒体上の動作を管理するための別の装置が開示される。本装置は、たとえば、第2のRATに関連付けられたシグナリングに関して、第1のRATに従って媒体を監視するための手段と、監視されたシグナリングに基づいて、第2のRATに関連付けられたTDM通信パターンの1つまたは複数のTDMパラメータを決定するための手段であって、TDM通信パターンが、第2のRATに従って媒体を介した通信のアクティブ化期間および非アクティブ化期間を定義する、手段と、決定された1つまたは複数のTDMパラメータに基づいて第1のRAT用の1つまたは複数の送信パラメータを設定するための手段と、1つまたは複数の送信パラメータに従って媒体上で送信するための手段とを含む場合がある。
【０００９】
別の例では、プロセッサによって実行されると、プロセッサに、RAT間で共有される通信媒体上の動作を管理するための動作を実行させるコードを含む一時的または非一時的コンピュータ可読媒体が開示される。本コンピュータ可読媒体は、たとえば、第2のRATに関連付けられたシグナリングに関して、第1のRATに従って通信媒体を監視するためのコードと、監視されたシグナリングに基づいて、第2のRATに関連付けられたTDM通信パターンの1つまたは複数のTDMパラメータを決定するためのコードであって、TDM通信パターンが、第2のRATに従って通信媒体を介した通信のアクティブ化期間および非アクティブ化期間を定義する、コードと、決定された1つまたは複数のTDMパラメータに基づいて第1のRAT用の1つまたは複数の送信パラメータを設定するためのコードと、1つまたは複数の送信パラメータに従って通信媒体上で送信するためのコードとを含む場合がある。
【００１０】
添付の図面は、本開示の様々な態様の説明を助けるために提示され、態様の例示のためにのみ提供されており、各態様を限定するためのものではない。
【図面の簡単な説明】
【００１１】
【図１】アクセス端末(AT)と通信しているアクセスポイント(AP)を含む例示的なワイヤレス通信システムを示す図である。
【図２】共有される通信媒体上の無線アクセス技術(RAT)間の相互リンク干渉を示すシステムレベルの図である。
【図３】本明細書ではキャリア感知適応送信(CSAT)と呼ばれる例示的な長期時分割多重(TDM)通信方式のいくつかの態様を示す図である。
【図４】RAT間で共有される通信媒体上の動作を管理するための例示的なTDM認識プロシージャを示すシグナリングフロー図である。
【図５】通信媒体の例示的な帯域幅分割を示す周波数空間図である。
【図６】競合RAT TDM通信パターンに従って管理される例示的な二重送信パラメータセットを示すタイミング図である。
【図７】RAT間で共有される通信媒体上の動作を管理する例示的な方法を示す流れ図である。
【図８】一連の相互に関係する機能モジュールとして表される例示的なアクセスポイント装置を示す図である。
【発明を実施するための形態】
【００１２】
本開示は、一般に、無線アクセス技術(RAT)間で共有される通信媒体上の共存認識通信(co-existence-aware communication)のための技法に関する。長期時分割多重(TDM)通信方式などのRAT間共存機構は、様々なシステムによって媒体上に実装される場合があり、これらの共存機構は、隣のシステム通信に様々に影響を及ぼす場合がある。したがって、通信を適応させるために、影響を及ぼされる近隣のシステムによる、そのような共存機構の認識が使用される場合がある。たとえば、データレート、ユーザスケジューリング、動作帯域幅などはすべて、様々なTDM通信パターンならびにそれらの特定のアクティブおよび非アクティブな通信期間を考慮して様々に適応する場合がある。
【００１３】
本開示のより具体的な態様は、例示のために提供される様々な例を対象とする以下の説明および関連する図面において提供される。代替の態様が、本開示の範囲から逸脱することなく考案され得る。加えて、より関連性のある詳細を不明瞭にしないように、本開示のよく知られている態様は詳細に説明されない場合があるか、または省略される場合がある。
【００１４】
以下で説明する情報および信号は、様々な異なる技術および技法のいずれかを使用して表され得ることを当業者は諒解されよう。たとえば、以下の説明全体を通して参照される場合があるデータ、命令、コマンド、情報、信号、ビット、シンボル、およびチップは、部分的に特定の適用例、部分的に所望の設計、部分的に対応する技術などに応じて、電圧、電流、電磁波、磁場もしくは磁性粒子、光場もしくは光粒子、またはそれらの任意の組合せによって表され得る。
【００１５】
さらに、多くの態様について、たとえば、コンピューティングデバイスの要素によって実行されるべきアクションのシーケンスの観点から説明する。本明細書で説明する様々なアクションは、特定の回路(たとえば、特定用途向け集積回路(ASIC))によって実行されるか、1つもしくは複数のプロセッサによって実行されるプログラム命令によって実行されるか、またはその両方の組合せによって実行されることが可能であることが認識されよう。さらに、本明細書で説明する態様の各々に対して、任意のそのような態様の対応する形態は、たとえば、説明するアクションを実行する「ように構成される論理」として実装される場合がある。
【００１６】
図1は、アクセス端末(AT)と通信しているアクセスポイント(AP)を含む例示的なワイヤレス通信システムを示す。別段述べられない限り、「アクセス端末」および「アクセスポイント」という用語は、任意の特定の無線アクセス技術(RAT)に特有であることまたはそれに限定されることは意図されない。一般に、アクセス端末は、ユーザが通信ネットワーク上で通信できるようにする任意のワイヤレス通信デバイス(たとえば、モバイルフォン、ルータ、パーソナルコンピュータ、サーバ、エンターテインメントデバイス、モノのインターネット(IOT)/あらゆるモノのインターネット(IOE)対応デバイス、車載通信デバイスなど)である場合があり、異なるRAT環境において、代替的には、ユーザデバイス(UD)、移動局(MS)、加入者局(STA)、ユーザ機器(UE)などと呼ばれる場合がある。同様に、アクセスポイントは、アクセスポイントが展開されるネットワークに応じて、アクセス端末と通信している1つまたはいくつかのRATに従って動作する場合があり、基地局(BS)、ネットワークノード、NodeB、発展型NodeB(eNB)などと代替的に呼ばれる場合がある。
【００１７】
図1の例では、アクセスポイント110およびアクセス端末120は各々、一般に、少なくとも1つの指定されたRATを介して他のネットワークノードと通信するための(通信デバイス112および122によって表される)ワイヤレス通信デバイスを含む。通信デバイス112および122は、指定されたRATに従って、信号(たとえば、メッセージ、表示、情報など)を送信および符号化するように、また逆に、信号(たとえば、メッセージ、表示、情報、パイロットなど)を受信および復号するように様々に構成され得る。アクセスポイント110およびアクセス端末120は各々、一般に、それらのそれぞれの通信デバイス112および122の動作を制御する(たとえば、指示する、変更する、有効化する、無効化する、など)ための(通信コントローラ114および124によって表される)通信コントローラを含む場合もある。通信コントローラ114および124は、(処理システム116および126ならびにメモリ構成要素118および128として示される)それぞれのホストシステム機能の指示により、またはさもなければそれぞれのホストシステム機能とともに、動作する場合がある。いくつかの設計では、通信コントローラ114および124は、それぞれのホストシステム機能によって部分的にまたは完全に包含される場合がある。
【００１８】
図示した通信をより詳細に見ると、アクセス端末120は、ワイヤレスリンク130を介して、アクセスポイント110とメッセージの送信および受信を行う場合があり、メッセージは様々なタイプの通信に関する情報(たとえば、音声、データ、マルチメディアサービス、関連する制御シグナリングなど)を含む。ワイヤレスリンク130は、他の通信および他のRATと共有され得る、図1における例として媒体132として示す、注目する通信媒体を介して動作する場合がある。このタイプの媒体は、媒体132の場合のアクセスポイント110およびアクセス端末120などの、1つまたは複数のトランスミッタ/レシーバペアの間の通信に関連する(たとえば、1つまたは複数のキャリアにわたる1つまたは複数のチャネルを網羅する)1つまたは複数の周波数、時間、および/または空間通信リソースから構成される場合がある。
【００１９】
特定の例として、媒体132は、他のRATと共有される無認可周波数帯域の少なくとも一部に対応し得る。一般に、アクセスポイント110およびアクセス端末120は、それらが展開されるネットワークに応じて1つまたは複数のRATに従って、ワイヤレスリンク130を介して動作する場合がある。これらのネットワークは、たとえば、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークなどの様々な変形形態を含む場合がある。様々な認可された周波数帯域が(たとえば、米国の連邦通信委員会(FCC)などの政府機関によって)そのような通信のために確保されているが、いくつかの通信ネットワーク、特にスモールセルアクセスポイントを採用している通信ネットワークは、ワイヤレスローカルエリアネットワーク(WLAN)技術、特に「Wi-Fi」と一般に呼ばれるIEEE 802.11x WLAN技術によって使用されるUnlicensed National Information Infrastructure(U-NII)帯域などの無認可周波数帯域へと動作を拡張させている。
【００２０】
図1の例では、アクセスポイント110の通信デバイス112は、1つのRATに従って動作するように構成された1次RATトランシーバ140を含み、いくつかの設計では(たとえば、スモールセルアクセスポイントの一部として)、別のRATに従って動作するように構成された随意の2次RATトランシーバ142を含む。本明細書で使用する「トランシーバ」は、トランスミッタ回路、レシーバ回路、またはそれらの組合せを含む場合があるが、すべての設計において送信と受信の両方の機能を提供する必要はない。たとえば、いくつかの設計において、完全な通信を実現することが必要とされないときに、コストを低減するために低機能受信機回路が採用され得る(たとえば、レシーバチップまたは単に低レベルスニッフィングを提供する同様の回路)。さらに、本明細書で使用する「コロケートされた」(たとえば、無線装置、アクセスポイント、トランシーバなど)という用語は、様々な構成のうちの1つを指す場合がある。たとえば、同じハウジング内にある構成要素、同じプロセッサによってホストされる構成要素、互いの規定された距離内にある構成要素、および/または任意の要求される構成要素間通信(たとえば、メッセージング)の待ち時間要件を満たすインターフェース(たとえば、イーサネット(登録商標)スイッチ)を介して接続される構成要素である。
【００２１】
1次RATトランシーバ140および2次RATトランシーバ142は、異なる機能を提供する場合があり、異なる目的に使用される場合がある。一例として、1次RATトランシーバ140は、ワイヤレスリンク130上でのアクセス端末120との通信を実現するようにWi-Fi技術に従って動作する場合があるが、2次RATトランシーバ142は(装備される場合)、Wi-Fi通信に干渉する可能性またはWi-Fi通信によって干渉される場合がある媒体132上のロングタームエボリューション(LTE)シグナリングを監視するようにLTE技術に従って動作する場合がある。2次RATトランシーバ142は、対応するネットワークに通信サービスを提供するフルLTE eNBとして働いても働かなくてもよい。アクセス端末120の通信デバイス122は、いくつかの設計では、図1に1次RATトランシーバ150および2次RATトランシーバ152として示すように、同様の1次RATトランシーバおよび/または2次RATトランシーバ機能を含んでもよいが、そのような二重のトランシーバ機能は必要でない場合がある。
【００２２】
図2は、媒体132などの共有通信媒体上のRAT間の相互リンク干渉を示すシステムレベルの図である。この例では、アクセスポイント110とアクセス端末120との間の通信に使用される媒体132は、競合RATシステム202と共有される。競合RATシステム202は、同様に媒体132上でそれぞれのワイヤレスリンク230を介して互いに通信する1つまたは複数の競合ノード204を含む場合がある。上記の例を続けると、アクセスポイント110とアクセス端末120は、たとえばWi-Fi技術に従ってワイヤレスリンク130を介して通信し得るが、競合RATシステム202は、LTE技術に従ってワイヤレスリンク230を介して通信し得る。
【００２３】
図示のように、媒体132の共有が原因で、ワイヤレスリンク130とワイヤレスリンク230との間の相互リンク干渉の可能性がある。競合RATシステム202は、アクセスポイント110とアクセス端末120との間の通信に様々に影響を及ぼす場合がある、異なる共存機構とのこの干渉を緩和するように試みる場合がある。競合RATシステム202が実施する場合がある1つの特定の共存機構は、長期時分割多重(TDM)通信方式である。
【００２４】
図3は、媒体132上で競合RATシステム202によって実施され得る、本明細書ではキャリア感知適応送信(CSAT)と呼ばれる例示的な長期TDM通信方式のいくつかの態様を示す。CSAT通信方式は、(i)競合RATシステム202のそれぞれのRATによるそれ自体の通信と、(ii)別のRATによるアクセスポイント110およびアクセス端末120などの近隣のデバイスの通信との間の共存を助長するために競合RATシステム202によって使用される場合がある。図示のように、CSAT通信方式は、TDM通信パターン300に応じて競合RATシステム202によって媒体132の利用のパターンをもたらす場合がある。
【００２５】
より詳細には、CSAT有効化期間302中、競合RATシステム202による媒体132の利用は、アクティブ化(CSAT ON)期間304と非アクティブ化(CSAT OFF)期間306との間で経時的に循環し得る。所与のアクティブ化期間304/非アクティブ化期間306のペアがCSATサイクル(TCSAT)308を構成し得る。各アクティブ化期間304に関連する時間期間TON中(任意のCSAT無効化期間310と同様に)、競合RATシステム202による媒体132上の送信は、通常の比較的高い送信出力で進行し得る。しかしながら、各非アクティブ化期間306に関連する時間期間TOFF中、競合RATシステム202による媒体132上の送信は、低減されるか、またはアクセスポイント110およびアクセス端末120などの近隣デバイスに媒体132を譲るようにさらに十分に無効化される。いくつかの事例では、所与のアクティブ化期間304は、波形において短い送信ギャップを導入するようにゲート開閉される場合がある。たとえば、図3のコンテキストでは、所与のアクティブ化期間304は、通常のサブフレーム314間の送信ギャップとして働く、パンクチャドサブフレーム(punctured subframe)312とも呼ばれる異なるサブフレームにおいてゲート開閉される場合がある。様々な展開および様々な時刻において、TDM通信パターン300は、たとえば、様々な周期(TCSAT)、様々なデューティサイクル(すなわち、TON/TCSAT)、アクティブ化期間304および非アクティブ化期間306中の様々なそれぞれの送信電力、所与のアクティブ化期間304内の様々なパンクチャリングパターンなどを含む、様々な関連のCSATパラメータによって特徴づけられる場合がある。
【００２６】
図1に戻ると、図4〜図6を参照しながら以下でより詳細に説明するように、アクセスポイント110の通信コントローラ114は、媒体アナライザ144および送信コントローラ146を含む場合があり、これらは、CSATなどの長期TDM通信方式を考慮して、媒体132上の動作を管理するように1次RATトランシーバ140および/または2次RATトランシーバ142とともに動作する場合がある。それに加えて、または代替として、いくつかの設計では、アクセス端末120の通信コントローラ124は、同様の構成要素または補完の構成要素(図示せず)を含む場合があるが、これは必要ではない。
【００２７】
図4は、RAT間で共有される通信媒体上の動作を管理するための例示的なTDM認識プロシージャを示すシグナリングフロー図である。この例では、アクセスポイント110は、媒体132上の動作を管理し、競合RATシステム202は、CSATなどの長期TDM通信方式を実施している。
【００２８】
より詳細には、図1に示した構成要素を参照すると、1次RAT(Wi-Fiなど)に従って動作するように構成された、アクセスポイント110の1次RATトランシーバ140は、競合RATシステム202に関連付けられたシグナリング402(たとえば、LTEシグナリング)に関して媒体132を最初に監視する。監視されたシグナリング402に基づいて、媒体アナライザ144は、競合RATシステム202によって利用されるRATに関連付けられた、図3のCSAT TDM通信パターン300などのTDM通信パターンの1つまたは複数のTDMパラメータを決定する場合がある(ブロック404)。
【００２９】
装備される場合、2次RATトランシーバ142は、競合RATシステム202と同じRATに従って動作するように構成されるとき、監視を直接実行するために使用される場合がある。これは、パターンの発見を単純化する場合がある。しかしながら、様々なRAT間発見機構が、1次RATトランシーバ140を介して様々なTDMパラメータを決定するために媒体アナライザ144によって使用され得るとき、2次RATトランシーバ142が装備または利用されることは必要ではない。
【００３０】
一例として、1次RATトランシーバ140は、他の(非1次RAT)シグナリングエネルギー(たとえば、高速フーリエ変換(FFT)エネルギー出力)に関して媒体132を監視し、監視されたシグナリングエネルギーを、競合RATシステム202のRATに対応する既知の波形シグネチャ(「指紋」と呼ばれる場合もある)と比較する場合がある。これは、シグナリングのソースを識別し、何らかの他のソースとは対照的に、競合RATシステム202のRATによってそれを関連付けるのを助ける場合がある。LTEでは、たとえば、物理アップリンク制御チャネル(PUCCH)信号などのいくつかのアップリンク信号と同様に、1次同期信号(PSS)、2次同期信号(SSS)、およびセル固有基準信号(CRS:Cell-specific Reference Signal)などのいくつかのダウンリンク信号は各々、そのような波形シグネチャを定義するために使用することができる特徴的な周期とともにブロードキャストされる。1次RATトランシーバ140は一般に競合RATシステム202によって使用されるRATのサブフレーム境界と同期されないので、適切な測定間隔は、有用なシグナリングエネルギー情報をより正確にキャプチャするように(対応するフレーム構造などに基づいて)選択され繰り返される場合がある。いくつかの設計では、シグナリングエネルギー測定は、たとえば、より確信するために、ランダムな時間オフセットを有する複数のフレーム持続時間にわたって集計される場合がある。
【００３１】
別の例として、1次RATトランシーバ140は、他の(非1次RAT)シグナリングエネルギーに関して媒体132を監視し、監視されたシグナリングエネルギーを、1次RAT用に定義されたチャネル予約メッセージに相関させる場合がある。これはまた、シグナリングのソースを識別し、何らかの他のソースとは対照的に、競合RATシステム202のRATによってそれを関連付けるのを助ける場合がある。たとえば、いくつかの競合RATは、それ自体の共存方式のうちの1つまたは複数を容易にするためにいくつかのRAT内干渉緩和プロトコルを取り込み始めている。競合RATシステム202は、いくつかの事例では、媒体132を予約し、近隣のWi-Fiデバイスが予約された持続時間の間に送信するのを防ぐために、Wi-Fiなどの他のRATによって定義されたチャネル予約メッセージングを利用する場合がある。例示的なチャネル予約メッセージには、たとえば、自身への送信可(CTS2S)メッセージ、送信要求(RTS)メッセージ、送信可(CTS)メッセージ、物理レイヤコンバージェンスプロトコル(PLCP)信号(SIG)ヘッダ(たとえば、L-SIG、HT-SIG、VHT-SIG)、およびWi-Fi RAT用の同様のもの、または、他のRAT用に定義された他の同様のメッセージが含まれ得る。監視されたシグナリングエネルギーを所与のチャネル予約メッセージに相関させることによって、1次RATトランシーバ140は、競合RATシステム202のRATに特に関連付けられた、チャネル予約メッセージおよびシグナリングを識別することができる場合がある。
【００３２】
シグナリングが競合RATシステム202のRATに関連付けられたことが決定されると、媒体アナライザ144は、競合RATシステム202によって利用される任意の関連のTDMパラメータの特定(ブロック404)のためにそれを使用する場合がある。一例として、媒体アナライザ144は、TDM通信パターンの周期(たとえば、図3のCSAT通信パターン300のTCSAT)を定義するか、または別様にその周期に関連付けられるパラメータを決定するために、監視されたシグナリング402間の空間を分析する場合がある。別の例として、媒体アナライザ144は、TDM通信パターンのアクティブ化期間のデューティサイクル(たとえば、図3のCSAT通信パターン300のTON/TCSAT)を定義するか、または別様にそのデューティサイクルに関連付けられるパラメータを決定するために、監視されたシグナリング402間の空間を分析する場合がある。別の例として、媒体アナライザ144は、TDM通信パターンの所与のアクティブ化期間内のパンクチャリングパターン(たとえば、図3のCSAT通信パターン300のパンクチャドサブフレーム312の位置)を定義するか、または別様にそのパンクチャリングパターンに関連付けられるパラメータを決定するために、監視されたシグナリング402間の空間を分析する場合がある。
【００３３】
媒体アナライザ144は、監視されたシグナリング402間の空間を様々に分析する場合がある。一例として、媒体アナライザ144は、非1次RATシグナリングエネルギーなどのためにチャネル査定ビジー/クリアインジケータのタイミングパターンを観測してもよい。Wi-Fi IEEE 802.11プロトコル規格ファミリーは、たとえば、他のRATシグナリングのCCA-EDしきい値(たとえば、Wi-Fi 1次チャネルでは-62dBm)との比較を含む、送信を試みる前の通信媒体の状態を査定するためのクリアチャネル査定(CCA:Clear Channel Assessment)を提供する。媒体アナライザ144は、(監視されたシグナリング402が送信のアクティブ期間中にCCA-EDしきい値を超えるほど)競合RATシステム202が比較的近接しているとき、CCA-EDビジー/クリアインジケータのタイミングパターンを観測する場合がある。別の例として、媒体アナライザ144は、任意の関連のチャネル予約メッセージの持続時間フィールド(競合RATシステム202に関連付けられた、識別されたCTS2Sメッセージの持続時間フィールド)を復号する場合がある。
【００３４】
図4に戻ると、決定された1つまたは複数のTDMパラメータに基づいて、送信コントローラ146は、1次RAT用の1つまたは複数の送信パラメータを設定する場合があり(ブロック406)、1次RATトランシーバ140は、その後、1つまたは複数の送信パラメータに従って媒体132上の1次RATシグナリング408を送信する場合がある。関連の送信パラメータは、たとえば、物理(PHY)レイヤパラメータ(たとえば、データレート、帯域幅、変調/コーディング方式(MCS:Modulation and Coding Scheme)など)、媒体アクセス制御(MAC)レイヤパラメータ(たとえば、再送信回数、ユーザスケジューリングなど)などを含む場合がある。
【００３５】
特定の例として、送信コントローラ146は、アクセスポイント110によって帯域幅利用および/またはスケジューリングを制御するための1つまたは複数の帯域幅管理パラメータを設定する場合がある。たとえば、送信コントローラ146は、競合RATシステム202によって実施されるTDM通信パターンのアクティブ化期間中の第1の比較的小さい帯域幅と、TDM通信パターンの非アクティブ化期間中の第2の比較的大きい帯域幅とを使用するように1次RATトランシーバ140に指示するために帯域幅管理パラメータを設定する場合がある。それに加えて、または代替として、送信コントローラ146は、TDM通信パターンのアクティブ化期間中に媒体132の制限部分を介して、レイテンシ敏感トラフィックのためのパケットなどの、比較的高い(たとえば、量的しきい値または質的しきい値を超える)優先度を有するパケットを送信するように1次RATトランシーバ140に指示するために帯域幅管理パラメータを設定する場合がある。
【００３６】
図5は、媒体132などの通信媒体の例示的な帯域幅分割を示す周波数空間図である。この例では、媒体132は、コンポーネントチャネル512A〜512Dにわたる。図示のように、コンポーネントチャネル512A〜512Dの各々は、「1次」チャネルまたは「2次」チャネルと一般に呼ばれる場合があるものに対応する場合がある。たとえば、Wi-Fi IEEE 802.11プロトコル規格ファミリーは、1次20MHzチャネルの動作、および±20MHz離間した2次隣接チャネル(たとえば、拡大チャネル)のオプションとしての使用を提供する。2次チャネルは、Wi-Fi帯域幅を、たとえば、40MHz、80MHz、または160MHzに増加するためのチャネル結合のために使用され得る。40MHzチャネルを形成するためにWi-Fi APが2つの20MHzチャネルのチャネル結合を使用するか、または80MHzチャネルを形成するために4つの20MHzチャネルのチャネル結合を使用する、などの状況では、20MHzチャネルのうちの1つが1次チャネル(たとえば、図5のチャネル512A)として指定され、チャネルの残りは2次チャネル(たとえば、図5のチャネル512B〜512D)として指定される。1次チャネルは、一般に、レガシーアクセス端末にサービスすること、ビーコンを送信すること、接続セットアップ交換信号(たとえば、関連付けおよび認証)を交換することなどに使用される。
【００３７】
図示の例では、競合RATシステム202は、コンポーネントチャネルのうちの1つ(図5のコンポーネントチャネル512Cに対応する共有チャネル530として示す)を占有するかまたはさもなければ利用するように意図するにすぎない場合がある。したがって、競合RATシステム202によって実施されるTDM通信パターンのアクティブ化期間の情報により、送信コントローラ146は、アクティブ化期間中に共有チャネル530を除外するためにワイヤレスリンク130によって占有された帯域幅を低減する場合がある。帯域幅は、たとえば、1次チャネル(たとえば、図5の1次チャネル512A)まで、または1次チャネルプラス1つまたは複数の利用可能な(たとえば、連続する占有されていない)2次チャネル(たとえば、図5の1次チャネル512Aプラス2次チャネル512B)まで低減される場合がある。TDM通信パターンの非アクティブ化期間中に、送信コントローラ146は、ワイヤレスリンク130によって占有された帯域幅をその通常の状態まで増加させる場合がある。
【００３８】
さらに、送信コントローラ146は、より大きい競合時間およびより頻繁な衝突を起こしやすい帯域幅全体ではなく、1次チャネル512A上でのみ、より優先順位の高いトラフィック(たとえば、しきい値を超えるサービス品質(QoS)クラスを有するトラフィック)をスケジュールする場合がある。Wi-Fiでは、たとえば、パケット優先度は、802.11 MACヘッダのQoS Infoフィールド内のアクセスクラス(AC)マーキングから推測することができる。
【００３９】
図4に戻ると、送信パラメータ管理の別の特定の例として、送信コントローラ146は、(i)競合RATシステム202によって実施されるTDM通信パターンのアクティブ化期間のための送信パラメータの第1のアクティブ化期間セットと、(ii)TDM通信パターンの非アクティブ化期間のための送信パラメータの第2のセットとを含む、送信パラメータの二重セットを維持する場合がある。
【００４０】
図6は、競合RAT TDM通信パターンに従って管理される例示的な二重送信パラメータセットを示すタイミング図である。この例では、競合RAT TDM通信パターンは、図3を参照しながら上記でより詳細に説明した一連のアクティブ化期間304および非アクティブ化期間306として形成される。
【００４１】
図示のように、送信コントローラ146は、アクティブ化パラメータセット604と非アクティブ化パラメータセット606の両方を維持する場合がある。アクティブ化パラメータセット604は、競合RATシステム202による干渉が比較的高いとき、アクティブ化期間304中の送信に適したパラメータを追跡し、それらのパラメータを含む場合があり、非アクティブ化パラメータセット606は、競合RATシステム202による干渉が比較的低いとき、非アクティブ化期間306中の送信に適したパラメータを追跡し、それらのパラメータを含む場合がある。これらの様々なパラメータセットを維持するために、送信コントローラ146は、それぞれの時間期間中に制御ループAおよび制御ループBとして例示の目的で示した、2つの別個の追跡ループを動作させる場合がある。
【００４２】
別個の適切な干渉レベルのパラメータセットの使用は、いくつかの点で有益である場合がある。たとえば、非アクティブ化期間306と比較して、アクティブ化期間304の間に様々なデータレートまたはMCSを維持することは、より良いスループットを提供し、ランプアップ/ランプダウンの非効率性を低減する場合がある。同様に、非アクティブ化期間306と比較して、アクティブ化期間304の間に再送信回数を維持することは、より良い媒体アクセス制御を提供する場合がある。またさらに、非アクティブ化期間306と比較して、アクティブ化期間304の間に異なるユーザスケジューリングを維持することは、(たとえば、アクティブ化期間304中により良い信号対ノイズ比(SNR)で近接するアクセス端末のみをスケジューリングすることによって)増加したシステム効率を提供する場合がある。
【００４３】
図7は、上記で説明した技法に従ってRAT間で共有される通信媒体上の動作を管理する例示的な方法を示す流れ図である。方法700は、たとえば、アクセスポイント(たとえば、図1に示したアクセスポイント110)によって実行され得る。
【００４４】
図示のように、アクセスポイントは、第1のRAT(たとえば、Wi-Fi)に従って動作するように構成されたトランシーバを介して、第2のRAT(たとえば、LTE)に関連するシグナリングに関して媒体(たとえば、無認可無線周波数帯域上の1つまたは複数の時間、周波数、または空間リソース)を監視する場合がある(ブロック702)。監視することは、たとえば、1次RATトランシーバ140などのトランシーバによって実行される場合がある。監視されたシグナリングに基づいて、アクセスポイントは、第2のRATに関連付けられたTDM通信パターンの1つまたは複数のTDMパラメータを決定する場合がある(ブロック704)。図3を参照しながら上記でより詳細に説明したように、たとえば、TDM通信パターンは、第2のRATに従って媒体を介した通信のアクティブ化期間および非アクティブ化期間を定義する場合がある。決定することは、たとえば、媒体アナライザ144などの媒体アナライザによって実行される場合がある。アクセスポイントは、決定された1つまたは複数のTDMパラメータに基づいて第1のRAT用の1つまたは複数の送信パラメータを設定する場合がある(ブロック706)。設定することは、たとえば、送信コントローラ146などの送信コントローラによって実行される場合がある。アクセスポイントは、次いで、1つまたは複数の送信パラメータに従ってトランシーバを介して媒体上で送信する場合がある(ブロック708)。送信することは、たとえば、1次RATトランシーバ140などのトランシーバによって実行される場合がある。
【００４５】
上記でより詳細に説明したように、1つまたは複数のTDMパラメータは、たとえば、TDM通信パターンの周期に関するパラメータ、TDM通信パターンのアクティブ化期間のデューティサイクルに関するパラメータ、またはそれらの組合せを含む場合がある。1つまたは複数のTDMパラメータは、TDM通信パターンの所与のアクティブ化期間内のパンクチャリングパターンに関するパラメータを含む場合もある。
【００４６】
監視すること(ブロック702)は、たとえば、非第1のRATシグナリングエネルギーに関して媒体を監視することと、シグナリングを第2のRATに関連付けるために、監視された非第1のRATシグナリングエネルギーを、第2のRATに対応する既知の波形シグネチャと比較することとを含む場合がある。それに加えて、または代替として、監視すること(ブロック702)は、たとえば、非第1のRATシグナリングエネルギーに関して媒体を監視することと、シグナリングを第2のRATに関連付けるために、監視された非第1のRATシグナリングエネルギーを、第1のRAT用に定義されたチャネル予約メッセージに相関させることとを含む場合もある。ここで、決定すること(ブロック704)は、チャネル予約メッセージの持続時間フィールドに基づいてデューティサイクルTDMパラメータを決定することを含む場合がある。
【００４７】
1つまたは複数の送信パラメータは、たとえば、データレートパラメータ、MCSパラメータ、ユーザスケジューリングパラメータ、またはそれらの組合せを含む場合がある。1つまたは複数の送信パラメータは、第1のRAT用の1つまたは複数の帯域幅管理パラメータを含む場合もある。ここで、設定すること(ブロック706)は、たとえば、TDM通信パターンのアクティブ化期間中に第1の帯域幅を使用し、TDM通信パターンの非アクティブ化期間中に第2の帯域幅を使用するようにトランシーバに指示するために1つまたは複数の帯域幅管理パラメータを設定することを含む場合があり、第1の帯域幅は第2の帯域幅よりも小さい。それに加えて、または代替として、設定すること(ブロック706)は、TDM通信パターンのアクティブ化期間中に媒体の制限部分を介して、しきい値を超える優先度を有するパケットを送信するようにトランシーバに指示するために1つまたは複数の帯域幅管理パラメータを設定することを含む場合もある。
【００４８】
いくつかの設計では、設定すること(ブロック706)は、(i)TDM通信パターンのアクティブ化期間のための送信パラメータの第1のセットと、(ii)TDM通信パターンの非アクティブ化期間のための送信パラメータの第2のセットとを維持することを含む場合がある。
【００４９】
便宜上、アクセスポイント110およびアクセス端末120は、本明細書で説明する様々な例に従って構成され得る様々な構成要素を含むものとして、図1に示される。しかしながら、図示したブロックは様々な方法で実装され得ることが諒解されよう。いくつかの実装形態では、図1の構成要素は、たとえば、1つまたは複数のプロセッサおよび/または(1つまたは複数のプロセッサを含み得る)1つまたは複数のASICなどの、1つまたは複数の回路において実装され得る。ここで、各回路は、この機能を提供する回路によって使用される情報または実行可能コードを記憶するための少なくとも1つのメモリ構成要素を使用する、および/または組み込む場合がある。
【００５０】
図8は、一連の相互に関係する機能モジュールとして表されるアクセスポイント110および/またはアクセス端末120を実装するための装置の代替図を提供する。
【００５１】
図8は、一連の相互に関係する機能モジュールとして表される例示的なアクセスポイント装置800を示す。監視するためのモジュール802は、少なくともいくつかの態様では、たとえば、本明細書で説明する通信デバイスまたはその構成要素(たとえば、通信デバイス112など)に対応し得る。決定するためのモジュール804は、少なくともいくつかの態様では、たとえば、本明細書で説明する通信コントローラまたはその構成要素(たとえば、通信コントローラ114など)に対応し得る。設定するためのモジュール806は、少なくともいくつかの態様では、たとえば、本明細書で説明する通信コントローラまたはその構成要素(たとえば、通信コントローラ114など)に対応し得る。送信するためのモジュール808は、少なくともいくつかの態様では、たとえば、本明細書で説明する通信デバイスまたはその構成要素(たとえば、通信デバイス112など)に対応し得る。
【００５２】
図8のモジュールの機能は、本明細書の教示と一致する様々な方法で実装され得る。いくつかの設計では、これらのモジュールの機能は、1つまたは複数の電気構成要素として実装され得る。いくつかの設計では、これらのブロックの機能は、1つまたは複数のプロセッサ構成要素を含む処理システムとして実装され得る。いくつかの設計では、これらのモジュールの機能は、たとえば、1つまたは複数の集積回路(たとえば、ASIC)の少なくとも一部分を使用して実装されてもよい。本明細書で説明したように、集積回路は、プロセッサ、ソフトウェア、他の関連する構成要素、またはそれらの何らかの組合せを含む場合がある。したがって、異なるモジュールの機能は、たとえば、集積回路の異なるサブセットとして実装されてもよく、ソフトウェアモジュールのセットの異なるサブセットとして実装されてもよく、またはその組合せとして実装されてもよい。また、(たとえば、集積回路の、および/またはソフトウェアモジュールのセットの)所与のサブセットが、2つ以上のモジュールに関する機能の少なくとも一部を実現する場合があることを諒解されよう。
【００５３】
それに加えて、図8によって表された構成要素および機能、ならびに本明細書で説明した他の構成要素および機能は、任意の適切な手段を使用して実装され得る。また、そのような手段は、少なくとも部分的に、本明細書で教示する対応する構造を使用して実装されてもよい。たとえば、図8の構成要素の「ためのモジュール」と併せて上記で説明した構成要素はまた、同様に指定された機能の「ための手段」に対応し得る。したがって、いくつかの態様では、そのような手段のうちの1つまたは複数は、プロセッサ構成要素、集積回路、または本明細書で教示する他の適切な構造のうちの1つまたは複数を使用して実装され得る。
【００５４】
本明細書において「第1の」、「第2の」などの呼称を用いる要素へのいかなる参照も、一般的には、それらの要素の量または順序を限定するものではないことを理解されたい。むしろ、これらの指示は、本明細書では、2つ以上の要素または要素の例同士を区別する好都合な方法として使用される場合がある。したがって、第1の要素および第2の要素の参照は、そこで2つの要素しか利用できないこと、または何らかの形で第1の要素が第2の要素に先行しなければならないことを意味しない。また、特に明記しない限り、要素のセットは、1つまたは複数の要素を含んでもよい。さらに、本説明または特許請求の範囲において用いられる「A、B、またはCのうちの少なくとも1つ」または「A、B、またはCのうちの1つまたは複数」または「A、B、およびCからなる群のうちの少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含む場合がある。
【００５５】
これまでの記述および説明を考慮して、本明細書において開示された態様に関連して説明された様々な例示的な論理ブロック、モジュール、回路、およびアルゴリズムステップは、電子ハードウェア、コンピュータソフトウェア、または両方の組合せとして実現される場合があることを当業者は理解されよう。ハードウェアとソフトウェアのこの互換性を明確に示すために、様々な例示的な構成要素、ブロック、モジュール、回路、およびステップを、これまで、それらの機能に関して一般に説明してきた。そのような機能がハードウェアとして実現されるか、ソフトウェアとして実現されるかは、特定の適用例およびシステム全体に課せられる設計制約によって決まる。当業者は、上記の機能を特定の適用例ごとに様々な方法において実装する場合があるが、そのような実装形態の決定は、本開示の範囲からの逸脱を引き起こすものと解釈されるべきではない。
【００５６】
したがって、たとえば、装置または装置の任意の構成要素は、本明細書において教示される機能を提供するように構成される(または動作可能にされる、または適応される)場合があることは理解されよう。これは、たとえば、機能を提供するように装置または構成要素を製造(たとえば、作製)することによって、機能を提供するように装置または構成要素をプログラミングすることによって、または何らかの他の適切な実施態様の技法の使用を介して達成される場合がある。一例として、必要な機能を提供するために、集積回路が作製される場合がある。別の例として、集積回路は、必要な機能をサポートするために作製され、その後、(たとえば、プログラミングを介して)必要な機能を提供するように構成される場合がある。また別の例として、プロセッサ回路が、必要な機能を提供するためにコードを実行する場合がある。
【００５７】
さらに、本明細書で開示した態様に関連して説明した方法、シーケンス、および/またはアルゴリズムは、直接ハードウェアで、プロセッサによって実行されるソフトウェアモジュールで、またはこの2つの組合せで具現化される場合がある。ソフトウェアモジュールは、ランダムアクセスメモリ(RAM)、フラッシュメモリ、読取り専用メモリ(ROM)、消去可能プログラマブル読取り専用メモリ(EPROM)、電気的消去可能プログラマブル読取り専用メモリ(EEPROM)、レジスタ、ハードディスク、リムーバブルディスク、CD-ROM、または一時的もしくは非一時的な当技術分野において既知の任意の他の形の記憶媒体内に存在する場合がある。例示的な記憶媒体は、プロセッサが記憶媒体から情報を読み取り、記憶媒体に情報を書き込むことができるように、プロセッサに結合される。代替として、記憶媒体は、プロセッサ(たとえば、キャッシュメモリ)と一体になる場合がある。
【００５８】
したがって、たとえば、本開示のいくつかの態様は、RAT間で共有される通信媒体上の動作を管理するための方法を具現化する、一時的または非一時的コンピュータ可読媒体を含むことができることも諒解されよう。
【００５９】
上記の開示は様々な例示的な態様を示すが、添付の特許請求の範囲によって規定される範囲から逸脱することなく、示される例に対して様々な変更および修正を加えてもよいことに留意されたい。本開示は、具体的に示された例のみに限定されることは意図していない。たとえば、別段述べられない限り、本明細書において説明された本開示の態様に従った方法クレームの機能、ステップ、および/または動作は、特定の順序で実行される必要はない。さらに、いくつかの態様は、単数形で説明または特許請求される場合があるが、単数形への限定が明示的に述べられていない限り、複数形も考えられる。
【符号の説明】
【００６０】
110  アクセスポイント
112  通信デバイス
114  通信コントローラ
116  処理システム
118  メモリ構成要素
120  アクセス端末
122  通信デバイス
124  通信コントローラ
126  処理システム
128  メモリ構成要素
130  ワイヤレスリンク
132  媒体
140  1次RATトランシーバ
142  2次RATトランシーバ
144  媒体アナライザ
146  送信コントローラ
150  1次RATトランシーバ
152  2次RATトランシーバ
202  競合RATシステム
204  競合ノード
230  ワイヤレスリンク
300  TDM通信パターン
302  CSAT有効化期間
304  アクティブ化(CSAT ON)期間
306  非アクティブ化(CSAT OFF)期間
308  CSATサイクル
310  CSAT無効化期間
312  パンクチャドサブフレーム
314  通常のサブフレーム
512A〜512D  コンポーネントチャネル
530  共有チャネル
604  アクティブ化パラメータセット
606  非アクティブ化パラメータセット
800  アクセスポイント装置
802  監視するためのモジュール
804  決定するためのモジュール
806  設定するためのモジュール
808  送信するためのモジュール
【図１】
2018515990.tif 000003
【図２】
2018515990.tif 000004
【図３】
2018515990.tif 000005
【図４】
2018515990.tif 000006
【図５】
2018515990.tif 000007
【図６】
2018515990.tif 000008
【図７】
2018515990.tif 000009
【図８】
2018515990.tif 000010
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
無線アクセス技術(RAT)間で共有される通信媒体上の動作を管理するための装置であって、
第1のRATに従って動作し、第2のRATに関連付けられたシグナリングに関して前記媒体を監視するように構成されたトランシーバと、
前記監視されたシグナリングに基づいて、前記第2のRATに関連付けられた時分割多重(TDM)通信パターンの1つまたは複数のTDMパラメータを決定するように構成された媒体アナライザであって、前記TDM通信パターンが、前記第2のRATに従って前記媒体を介した通信のアクティブ化期間および非アクティブ化期間を定義する、媒体アナライザと、
前記決定された1つまたは複数のTDMパラメータに基づいて前記第1のRAT用の1つまたは複数の送信パラメータを設定するように構成された送信コントローラと
を備え、
前記トランシーバが、前記1つまたは複数の送信パラメータに従って前記媒体上で送信するようにさらに構成される、装置。
【請求項２】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項1に記載の装置。
【請求項３】
前記1つまたは複数のTDMパラメータが、前記TDM通信パターンの所与のアクティブ化期間内のパンクチャリングパターンに関するパラメータを含む、請求項1に記載の装置。
【請求項４】
前記トランシーバが、非第1のRATシグナリングエネルギーに関して前記媒体を監視することと、前記シグナリングを前記第2のRATに関連付けるために、前記監視された非第1のRATシグナリングエネルギーを、前記第2のRATに対応する既知の波形シグネチャと比較することとを行うように構成される、請求項1に記載の装置。
【請求項５】
前記トランシーバが、非第1のRATシグナリングエネルギーに関して前記媒体を監視することと、前記シグナリングを前記第2のRATに関連付けるために、前記監視された非第1のRATシグナリングエネルギーを、前記第1のRAT用に定義されたチャネル予約メッセージに相関させることとを行うように構成される、請求項1に記載の装置。
【請求項６】
前記媒体アナライザが、前記チャネル予約メッセージの持続時間フィールドに基づいてデューティサイクルTDMパラメータを決定するように構成される、請求項5に記載の装置。
【請求項７】
前記1つまたは複数の送信パラメータが、データレートパラメータ、変調/コーディング方式(MCS)パラメータ、ユーザスケジューリングパラメータ、またはそれらの組合せを含む、請求項1に記載の装置。
【請求項８】
前記1つまたは複数の送信パラメータが、前記第1のRAT用の1つまたは複数の帯域幅管理パラメータを含む、請求項1に記載の装置。
【請求項９】
前記送信コントローラが、前記TDM通信パターンのアクティブ化期間中に第1の帯域幅を使用し、前記TDM通信パターンの非アクティブ化期間中に第2の帯域幅を使用するように前記トランシーバに指示するために前記1つまたは複数の帯域幅管理パラメータを設定するように構成され、前記第1の帯域幅は前記第2の帯域幅よりも小さい、請求項8に記載の装置。
【請求項１０】
前記送信コントローラが、前記TDM通信パターンのアクティブ化期間中に前記媒体の制限部分を介して、しきい値を超える優先度を有するパケットを送信するように前記トランシーバに指示するために前記1つまたは複数の帯域幅管理パラメータを設定するように構成される、請求項8に記載の装置。
【請求項１１】
前記送信コントローラが、(i)前記TDM通信パターンの前記アクティブ化期間のための送信パラメータの第1のセットと、(ii)前記TDM通信パターンの前記非アクティブ化期間のための送信パラメータの第2のセットとを維持するように構成される、請求項1に記載の装置。
【請求項１２】
前記媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項1に記載の装置。
【請求項１３】
無線アクセス技術(RAT)間で共有される通信媒体上の動作を管理するための方法であって、
第1のRATに従って動作するように構成されたトランシーバを介して、第2のRATに関連付けられたシグナリングに関して前記媒体を監視するステップと、
前記監視されたシグナリングに基づいて、前記第2のRATに関連付けられた時分割多重(TDM)通信パターンの1つまたは複数のTDMパラメータを決定するステップであって、前記TDM通信パターンが、前記第2のRATに従って前記媒体を介した通信のアクティブ化期間および非アクティブ化期間を定義する、ステップと、
前記決定された1つまたは複数のTDMパラメータに基づいて前記第1のRAT用の1つまたは複数の送信パラメータを設定するステップと、
前記1つまたは複数の送信パラメータに従って前記トランシーバを介して前記媒体上で送信するステップと
を備える、方法。
【請求項１４】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項13に記載の方法。
【請求項１５】
前記1つまたは複数のTDMパラメータが、前記TDM通信パターンの所与のアクティブ化期間内のパンクチャリングパターンに関するパラメータを含む、請求項13に記載の方法。
【請求項１６】
前記監視するステップが、
非第1のRATシグナリングエネルギーに関して前記媒体を監視することと、
前記シグナリングを前記第2のRATに関連付けるために、前記監視された非第1のRATシグナリングエネルギーを、前記第2のRATに対応する既知の波形シグネチャと比較することと
を備える、請求項13に記載の方法。
【請求項１７】
前記監視するステップが、
非第1のRATシグナリングエネルギーに関して前記媒体を監視することと、
前記シグナリングを前記第2のRATに関連付けるために、前記監視された非第1のRATシグナリングエネルギーを、前記第1のRAT用に定義されたチャネル予約メッセージに相関させることと
を備える、請求項13に記載の方法。
【請求項１８】
前記決定するステップが、前記チャネル予約メッセージの持続時間フィールドに基づいてデューティサイクルTDMパラメータを決定することを備える、請求項17に記載の方法。
【請求項１９】
前記1つまたは複数の送信パラメータが、データレートパラメータ、変調/コーディング方式(MCS)パラメータ、ユーザスケジューリングパラメータ、またはそれらの組合せを含む、請求項13に記載の方法。
【請求項２０】
前記1つまたは複数の送信パラメータが、前記第1のRAT用の1つまたは複数の帯域幅管理パラメータを含む、請求項13に記載の方法。
【請求項２１】
前記設定するステップが、前記TDM通信パターンのアクティブ化期間中に第1の帯域幅を使用し、前記TDM通信パターンの非アクティブ化期間中に第2の帯域幅を使用するように前記トランシーバに指示するために前記1つまたは複数の帯域幅管理パラメータを設定することを備え、前記第1の帯域幅は前記第2の帯域幅よりも小さい、請求項20に記載の方法。
【請求項２２】
前記設定するステップが、前記TDM通信パターンのアクティブ化期間中に前記媒体の制限部分を介して、しきい値を超える優先度を有するパケットを送信するように前記トランシーバに指示するために前記1つまたは複数の帯域幅管理パラメータを設定することを備える、請求項20に記載の方法。
【請求項２３】
前記設定するステップが、(i)前記TDM通信パターンの前記アクティブ化期間のための送信パラメータの第1のセットと、(ii)前記TDM通信パターンの前記非アクティブ化期間のための送信パラメータの第2のセットとを維持することを備える、請求項13に記載の方法。
【請求項２４】
前記媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項13に記載の方法。
【請求項２５】
無線アクセス技術(RAT)間で共有される通信媒体上の動作を管理するための装置であって、
第2のRATに関連付けられたシグナリングに関して、第1のRATに従って前記媒体を監視するための手段と、
前記監視されたシグナリングに基づいて、前記第2のRATに関連付けられた時分割多重(TDM)通信パターンの1つまたは複数のTDMパラメータを決定するための手段であって、前記TDM通信パターンが、前記第2のRATに従って前記媒体を介した通信のアクティブ化期間および非アクティブ化期間を定義する、手段と、
前記決定された1つまたは複数のTDMパラメータに基づいて前記第1のRAT用の1つまたは複数の送信パラメータを設定するための手段と、
前記1つまたは複数の送信パラメータに従って前記媒体上で送信するための手段と
を備える、装置。
【請求項２６】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項25に記載の装置。
【請求項２７】
前記1つまたは複数のTDMパラメータが、前記TDM通信パターンの所与のアクティブ化期間内のパンクチャリングパターンに関するパラメータを含む、請求項25に記載の装置。
【請求項２８】
前記監視するための手段が、
非第1のRATシグナリングエネルギーに関して前記媒体を監視するための手段と、
前記シグナリングを前記第2のRATに関連付けるために、前記監視された非第1のRATシグナリングエネルギーを、前記第2のRATに対応する既知の波形シグネチャと比較するための手段と
を備える、請求項25に記載の装置。
【請求項２９】
前記監視するための手段が、
非第1のRATシグナリングエネルギーに関して前記媒体を監視するための手段と、
前記シグナリングを前記第2のRATに関連付けるために、前記監視された非第1のRATシグナリングエネルギーを、前記第1のRAT用に定義されたチャネル予約メッセージに相関させるための手段と
を備える、請求項25に記載の装置。
【請求項３０】
前記決定するための手段が、前記チャネル予約メッセージの持続時間フィールドに基づいてデューティサイクルTDMパラメータを決定するための手段を備える、請求項29に記載の装置。
【請求項３１】
前記1つまたは複数の送信パラメータが、データレートパラメータ、変調/コーディング方式(MCS)パラメータ、ユーザスケジューリングパラメータ、またはそれらの組合せを含む、請求項25に記載の装置。
【請求項３２】
前記1つまたは複数の送信パラメータが、前記第1のRAT用の1つまたは複数の帯域幅管理パラメータを含む、請求項25に記載の装置。
【請求項３３】
前記設定するための手段が、前記TDM通信パターンのアクティブ化期間中に第1の帯域幅を使用し、前記TDM通信パターンの非アクティブ化期間中に第2の帯域幅を使用するように前記送信するための手段に指示するために前記1つまたは複数の帯域幅管理パラメータを設定するための手段を備え、前記第1の帯域幅は前記第2の帯域幅よりも小さい、請求項32に記載の装置。
【請求項３４】
前記設定するための手段が、前記TDM通信パターンのアクティブ化期間中に前記媒体の制限部分を介して、しきい値を超える優先度を有するパケットを送信するように前記送信するための手段に指示するために前記1つまたは複数の帯域幅管理パラメータを設定するための手段を備える、請求項32に記載の装置。
【請求項３５】
前記設定するための手段が、(i)前記TDM通信パターンの前記アクティブ化期間のための送信パラメータの第1のセットと、(ii)前記TDM通信パターンの前記非アクティブ化期間のための送信パラメータの第2のセットとを維持するための手段を備える、請求項25に記載の装置。
【請求項３６】
前記媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項25に記載の装置。
【請求項３７】
プロセッサによって実行されると、前記プロセッサに、無線アクセス技術(RAT)間で共有される通信媒体上の動作を管理するための動作を実行させるコードを備える非一時的コンピュータ可読記録媒体であって、
第2のRATに関連付けられたシグナリングに関して、第1のRATに従って前記通信媒体を監視するためのコードと、
前記監視されたシグナリングに基づいて、前記第2のRATに関連付けられた時分割多重(TDM)通信パターンの1つまたは複数のTDMパラメータを決定するためのコードであって、前記TDM通信パターンが、前記第2のRATに従って前記通信媒体を介した通信のアクティブ化期間および非アクティブ化期間を定義する、コードと、
前記決定された1つまたは複数のTDMパラメータに基づいて前記第1のRAT用の1つまたは複数の送信パラメータを設定するためのコードと、
前記1つまたは複数の送信パラメータに従って前記通信媒体上で送信するためのコードと
を備える、非一時的コンピュータ可読記録媒体。
【請求項３８】
前記1つまたは複数のTDMパラメータが、前記TDM通信パターンの周期に関するパラメータ、前記TDM通信パターンの前記アクティブ化期間のデューティサイクルに関するパラメータ、またはそれらの組合せを含む、請求項37に記載の非一時的コンピュータ可読記録媒体。
【請求項３９】
前記1つまたは複数のTDMパラメータが、前記TDM通信パターンの所与のアクティブ化期間内のパンクチャリングパターンに関するパラメータを含む、請求項37に記載の非一時的コンピュータ可読記録媒体。
【請求項４０】
前記監視するためのコードが、
非第1のRATシグナリングエネルギーに関して前記通信媒体を監視するためのコードと、
前記シグナリングを前記第2のRATに関連付けるために、前記監視された非第1のRATシグナリングエネルギーを、前記第2のRATに対応する既知の波形シグネチャと比較するためのコードと
を備える、請求項37に記載の非一時的コンピュータ可読記録媒体。
【請求項４１】
前記監視するためのコードが、
非第1のRATシグナリングエネルギーに関して前記通信媒体を監視するためのコードと、
前記シグナリングを前記第2のRATに関連付けるために、前記監視された非第1のRATシグナリングエネルギーを、前記第1のRAT用に定義されたチャネル予約メッセージに相関させるためのコードと
を備える、請求項37に記載の非一時的コンピュータ可読記録媒体。
【請求項４２】
前記決定するためのコードが、前記チャネル予約メッセージの持続時間フィールドに基づいてデューティサイクルTDMパラメータを決定するためのコードを備える、請求項41に記載の非一時的コンピュータ可読記録媒体。
【請求項４３】
前記1つまたは複数の送信パラメータが、データレートパラメータ、変調/コーディング方式(MCS)パラメータ、ユーザスケジューリングパラメータ、またはそれらの組合せを含む、請求項37に記載の非一時的コンピュータ可読記録媒体。
【請求項４４】
前記1つまたは複数の送信パラメータが、前記第1のRAT用の1つまたは複数の帯域幅管理パラメータを含む、請求項37に記載の非一時的コンピュータ可読記録媒体。
【請求項４５】
前記設定するためのコードが、前記TDM通信パターンのアクティブ化期間中に第1の帯域幅を使用し、前記TDM通信パターンの非アクティブ化期間中に第2の帯域幅を使用するように前記送信するためのコードに指示するために前記1つまたは複数の帯域幅管理パラメータを設定するためのコードを備え、前記第1の帯域幅は前記第2の帯域幅よりも小さい、請求項44に記載の非一時的コンピュータ可読記録媒体。
【請求項４６】
前記設定するためのコードが、前記TDM通信パターンのアクティブ化期間中に前記通信媒体の制限部分を介して、しきい値を超える優先度を有するパケットを送信するように前記送信するためのコードに指示するために前記1つまたは複数の帯域幅管理パラメータを設定するためのコードを備える、請求項44に記載の非一時的コンピュータ可読記録媒体。
【請求項４７】
前記設定するためのコードが、(i)前記TDM通信パターンの前記アクティブ化期間のための送信パラメータの第1のセットと、(ii)前記TDM通信パターンの前記非アクティブ化期間のための送信パラメータの第2のセットとを維持するためのコードを備える、請求項37に記載の非一時的コンピュータ可読記録媒体。
【請求項４８】
前記通信媒体が、無認可無線周波数帯域上の1つまたは複数の時間、周波数、または空間リソースを備え、
前記第1のRATが、Wi-Fi技術を備え、
前記第2のRATが、ロングタームエボリューション(LTE)技術を備える、
請求項37に記載の非一時的コンピュータ可読記録媒体。
【請求項４９】
無線アクセス技術(RAT)間で共有される通信媒体上の動作を管理するための装置であって、
第1のRATに従って動作し、第2のRATに関連付けられたシグナリングに関して前記媒体を監視するように構成されたトランシーバと、
少なくとも1つのプロセッサと、
前記少なくとも1つのプロセッサに結合された少なくとも1つのメモリと
を備え、
前記少なくとも1つのプロセッサと前記少なくとも1つのメモリとは、
前記監視されたシグナリングに基づいて、前記第2のRATに関連付けられた時分割多重(TDM)通信パターンの1つまたは複数のTDMパラメータを決定することであって、前記TDM通信パターンが、前記第2のRATに従って前記媒体を介した通信のアクティブ化期間および非アクティブ化期間を定義する、決定することと、
前記決定された1つまたは複数のTDMパラメータに基づいて前記第1のRAT用の1つまたは複数の送信パラメータを設定することと
を行うように構成され、
前記トランシーバが、前記1つまたは複数の送信パラメータに従って前記媒体上で送信するようにさらに構成される、装置。
【国際調査報告】
2018515990.tif 000011
2018515990.tif 000012
2018515990.tif 000013